(57)【要約】【課題】フードの内部の体液または洗浄液をフード外部に好適に排出することが可能な内視鏡用フード、およびかかる内視鏡用フードを装着したフード付き内視鏡を提供する。【解決手段】フード１０は、内視鏡１００の先端部１１０が挿入される基端側の装着部２０と、この装着部２０の先端側に延出したフード本体部３０と、内視鏡１００の挿入深さを規制する段差部２４と、排液口５０と、を有する。排液口５０の内側開口５２は、装着部２０とフード本体部３０との境界部２５に形成され、外側開口５１はフード１０の外周面３２に形成されている。内視鏡１００の先端部１１０の周面１１２が内側開口５２を部分的に塞ぐように排液口５０が形成されている。【選択図】図３
2014124226.tif 000002
【特許請求の範囲】
【請求項１】
内視鏡の先端部が挿入される基端側の装着部と、前記装着部の先端側に延出したフード本体部と、前記内視鏡の挿入深さを規制する規制部と、を有し両端が開口した筒状の内視鏡用フードであって、
前記装着部と前記フード本体部との境界部に内側開口が形成され前記内視鏡用フードの外周面に外側開口が形成された排液口を有し、
前記規制部に挿入深さを規制された前記内視鏡の前記先端部の周面が前記内側開口を部分的に塞ぐように前記排液口が形成されていることを特徴とする内視鏡用フード。
【請求項２】
前記内視鏡の前記周面から露出する前記内側開口を通じて前記外側開口から前記フード本体部の内部が臨むことを特徴とする請求項１に記載の内視鏡用フード。
【請求項３】
前記内視鏡の前記周面から露出する前記内側開口の面積が前記外側開口の面積よりも小さい請求項２に記載の内視鏡用フード。
【請求項４】
前記内側開口の過半の面積が前記内視鏡の前記周面に塞がれている請求項１から３のいずれか一項に記載の内視鏡用フード。
【請求項５】
前記規制部は前記装着部から前記境界部にかけて縮径する段差部であり、前記段差部が前記内側開口の内部に位置している請求項１から４のいずれか一項に記載の内視鏡用フード。
【請求項６】
前記排液口の基端縁が、前記内視鏡用フードの先端側内部から基端側外部に向かって延在している請求項１から５のいずれか一項に記載の内視鏡用フード。
【請求項７】
前記排液口の先端縁が基端側内部から先端側外部に向かって延在して前記排液口が外向きのＶ字状をなしている請求項６に記載の内視鏡用フード。
【請求項８】
前記排液口が前記境界部に形成されて前記内視鏡用フードの径方向に延在する側孔である請求項１から４のいずれか一項に記載の内視鏡用フード。
【請求項９】
前記排液口の基端縁が、前記内視鏡用フードの基端側内部から先端側外部に向かって延在している請求項１から５のいずれか一項に記載の内視鏡用フード。
【請求項１０】
前記フード本体部が、前記装着部の軸心と平行な直線稜線部と、前記直線稜線部の対向位置にあって前記軸心に対して傾斜した傾斜稜線部と、を含み、前記排液口が前記境界部のうち前記傾斜稜線部の側に形成されている請求項１から９のいずれか一項に記載の内視鏡用フード。
【請求項１１】
前記フード本体部の先端開口の一部または全部が、前記直線稜線部に向かって切れ込むようにして軸心に対して斜めに形成されている請求項１０に記載の内視鏡用フード。
【請求項１２】
前記フード本体部および前記装着部が軟質樹脂材料で構成されている請求項１から１１のいずれか一項に記載の内視鏡用フード。
【請求項１３】
請求項１から１２のいずれか一項に記載の内視鏡用フードと、観察光学系および送水ノズルが前記先端部に設けられた前記内視鏡と、を含み、
前記先端部の前記周面には親水性処理が施されており、
前記内視鏡用フードの前記装着部が、前記送水ノズルと前記観察光学系との延長線上に前記内側開口が位置する装着角度で前記内視鏡の前記先端部に装着されていることを特徴とするフード付き内視鏡。
【発明の詳細な説明】
【技術分野】
【０００１】
本発明は、内視鏡の先端部に装着して用いられる内視鏡用フード、および内視鏡用フードが装着されたフード付き内視鏡に関する。
【背景技術】
【０００２】
消化管等の体腔内の粘膜組織を、その下層の筋組織から切離して除去する内視鏡的粘膜切除術（ＥＭＲ）が実施されている。内視鏡には複数の通孔（チャンネル）が長手方向に貫通して形成されており、一般に最も大きな開口径を有する通孔である鉗子孔に高周波メスなどの長尺の処置具を挿入し、内視鏡の基端側で処置具を操作して粘膜組織を剥離切除する。その中でも広範囲の粘膜を一度に剥離切除する内視鏡的粘膜下層切除術（ＥＳＤ）では、剥離切離される途中の粘膜が筋層に覆い被さっているため、盲目的に粘膜下層を切離しなければならないという手技の困難性がある。
【０００３】
内視鏡的粘膜下層切除術等において盲目的な切離手技を防止するために、内視鏡の先端に内視鏡用フード（以下、単に「フード」ということがある）を装着して、対物レンズなどの観察光学系の視野を確保することが提案されている（特許文献１、２を参照）。
【０００４】
切離される粘膜の下にフードが潜り込んで粘膜を押し上げることにより、内視鏡の観察光学系の視野が確保される。切除された粘膜組織は、内視鏡の鉗子孔を通じて、または内視鏡とともに、体腔内から取り出される。切除された粘膜組織が比較的小さい場合は、内視鏡を留置したまま処置具とともに鉗子孔から抜去して取り出されるか、または鉗子孔を負圧吸引して粘膜組織を鉗子孔先端に吸着させた状態で内視鏡とともに体腔内から取り出される。また、切除された粘膜組織が内視鏡用フードの開口寸法よりも大きい場合には、内視鏡の通孔のいずれかを吸引してフード内部を負圧とし、粘膜組織をフードの先端開口に吸着させて内視鏡とともに体腔内から取り出す。
【０００５】
ここで、切除患部から流れ出た体液（血液、リンパ液、組織液など）や切除患部に向けて内視鏡から噴射した水が対物レンズに付着すると視野が損なわれて問題となる。そこで、内視鏡の先端には送気または送水用のノズルが設けられ、対物レンズに向かって気体または液体（洗浄液）を噴射してこれを洗浄可能とすることが行われている（特許文献１を参照）。また、内視鏡用フードに排液用の通孔や切欠を形成し、フード内の液体を側方に排出可能となっている（特許文献１、２を参照）。
【０００６】
特許文献２の内視鏡用フード（アダプタ）は、その内側周面に排液溝が形成されており、フード内の液体を、毛管現象を利用してこの排液溝を通じて排液孔に導くことができるとされている。このため、フードの先端開口が粘膜組織で封止されていても、フード内の液体を外部に排出することができる。排液溝はフードの装着部の先端から基端まで長く延在しており、排液孔は排液溝に対して直交して形成されている。
【先行技術文献】
【特許文献】
【０００７】
【特許文献１】再公表ＷＯ２０１０／１１６７４５号公報
【特許文献２】特開２００８−２７２１６８号公報
【発明の概要】
【発明が解決しようとする課題】
【０００８】
しかしながら、切除患部から流れ出た体液は粘性が高く流動性が低いため、特許文献２の内視鏡用フードでは排液溝を通じて排液孔まで迅速に導くことが困難である。毛管現象によりフードの内部から排液溝に体液が良好に導入されたとしても、排液溝から排液孔を通じて外部に至る経路は長くまた細いため、体液は排液孔から外部に排出されにくく、排液溝の内部にとどまってこれを目詰まりさせる虞がある。
【０００９】
本発明は上述のような課題に鑑みてなされたものであり、フードの内部の体液または洗浄液をフード外部に好適に排出することが可能な内視鏡用フード、およびかかる内視鏡用フードを装着したフード付き内視鏡を提供するものである。
【課題を解決するための手段】
【００１０】
本発明によれば、内視鏡の先端部が挿入される基端側の装着部と、前記装着部の先端側に延出したフード本体部と、前記内視鏡の挿入深さを規制する規制部と、を有し両端が開口した筒状の内視鏡用フードであって、前記装着部と前記フード本体部との境界部に内側開口を有し前記内視鏡用フードの外周面に外側開口を有する排液口が形成されており、前記規制部に挿入深さを規制された前記内視鏡の前記先端部の周面が前記内側開口を部分的に塞ぐように前記排液口が形成されていることを特徴とする内視鏡用フードが提供される。
【００１１】
また、本発明によれば、上記の内視鏡用フードと、観察光学系および送水ノズルが前記先端部に設けられた前記内視鏡と、を含み、前記先端部の前記周面には親水性処理が施されており、前記内視鏡用フードの前記装着部が、前記送水ノズルと前記観察光学系との延長線上に前記内側開口が位置する装着角度で前記内視鏡の前記先端部に装着されていることを特徴とするフード付き内視鏡が提供される。
【００１２】
上記発明によれば、内視鏡の先端部の周面が排液口の内側開口を部分的に塞ぐことにより、この狭窄した内側開口に毛管現象を発生させつつ、内視鏡の周面の濡れ性を用いて液体を排液口に導入する。さらに特許文献２のようにフードの装着部の先端から基端まで長く延在する排液溝を設けるのではなく、装着部とフード本体部との境界部に内側開口を設けることで、排液口に導入された液体が排出されるまでの経路が低減されている。このため、フード内部の液体が排液口を通じてフードの外部に迅速に排出される。
【発明の効果】
【００１３】
本発明の内視鏡用フードおよびフード付き内視鏡によれば、フードの内部の体液または洗浄液をフード外部に好適に排出することができる。
【図面の簡単な説明】
【００１４】
【図１】本発明の第一実施形態のフード付き内視鏡を示す平面図である。
【図２】フード付き内視鏡の正面図である。
【図３】図１のIII−III線縦断面図である。
【図４】図２のIV−IV線縦断面図であり、粘膜組織を吸着している状態を示す図である。
【図５】本発明の第二実施形態のフード付き内視鏡の縦断面図である。
【図６】本発明の第三実施形態のフード付き内視鏡を示す平面図である。
【図７】図６のVII−VII線縦断面図である。
【図８】本発明の第四実施形態のフード付き内視鏡の縦断面図である。
【発明を実施するための形態】
【００１５】
以下、本発明の実施形態を図面に基づいて説明する。尚、すべての図面において、同様な構成要素には同様の符号を付し、重複する説明は適宜省略する。
【００１６】
＜第一実施形態＞
図１は本実施形態の内視鏡用フード１０およびフード付き内視鏡２００を示す平面図である。図２はフード付き内視鏡２００の正面図である。図３は図１のIII−III線縦断面図である。図４は図２のIV−IV線縦断面図であり、粘膜組織ＴＳをフード本体部３０の先端開口３１に吸着している状態を示す図である。はじめに内視鏡用フード（フード）１０の概要について説明する。
【００１７】
本実施形態のフード１０は、内視鏡１００の先端部１１０が挿入される基端側の装着部２０と、この装着部２０の先端側に延出したフード本体部３０と、内視鏡１００の挿入深さを規制する規制部（段差部２４）と、排液口５０と、を有する。フード１０は、両端が開口した筒状をなしている。排液口５０は、内側開口５２と外側開口５１を備えている。内側開口５２は、装着部２０とフード本体部３０との境界部２５に形成されている。外側開口５１は、フード１０の外周面３２に形成されている。本実施形態のフード１０は、規制部（段差部２４）に挿入深さを規制された内視鏡１００の先端部１１０の周面１１２が内側開口５２を部分的に塞ぐように排液口５０が形成されていることを特徴とする。
【００１８】
次に、本実施形態のフード１０について詳細に説明する。フード１０の長軸方向とは、内視鏡１００の長軸方向をいう。すなわち、図３に一点鎖線で示すように、装着部２０の軸心ＡＸ１をフード１０の長軸方向という。図３に示すフード１０の縦断面とは、フード１０を長軸方向に沿って切断した断面をいう。本実施形態の装着部２０およびフード本体部３０はそれぞれ円筒状をなし、装着部２０の軸心ＡＸ１とフード本体部３０の軸心ＡＸ２とは交差している。ただし本発明はこれに限らず、装着部２０とフード本体部３０とが同軸上に配置されていてもよい。
【００１９】
装着部２０とフード本体部３０との中間部を境界部２５と呼称する。境界部２５は所定の広がりをもつ領域であり、境界部２５と装着部２０、または境界部２５とフード本体部３０とは必ずしも明確に区分けされている必要はない。本実施形態の境界部２５は、フード１０の内側面の段差部２４と、フード１０の外側面のスロープ部２６とを含む領域である。
【００２０】
図２はフード本体部３０の軸心ＡＸ２の方向から見たフード付き内視鏡２００の正面図である。図２に示すように、内視鏡１００の先端部１１０には、光学系である観察光学系１０５および一対の照明光学系１０６、送水ノズル１０７、処置具出口部１０８、および噴射孔１０９が設けられている。図２に示すフード本体部３０の正面視において、観察光学系１０５、照明光学系１０６、処置具出口部１０８および噴射孔１０９は、フード本体部３０の先端開口３１からいずれも完全に露出している。
【００２１】
本実施形態のフード付き内視鏡２００は、内視鏡用フード１０と、観察光学系１０５および送水ノズル１０７が先端部１１０に設けられた内視鏡１００と、を含む。
先端部１１０の周面１１２には親水性処理が施されている。図２および図４に示すように、このフード付き内視鏡２００は、内視鏡用フード１０の装着部２０が、送水ノズル１０７と観察光学系１０５との延長線上に内側開口５２が位置する装着角度で内視鏡１００の先端部１１０に装着されている。
【００２２】
観察光学系１０５はＣＣＤ(Charge Coupled Device)カメラを含み、切除患部などの被写体を観察するものである。
【００２３】
照明光学系１０６は、内視鏡１００の光源スイッチ（図示せず）と接続されたライトガイド（図示せず）を含む。照明光学系１０６は、内視鏡１００の前方（先端側）に照明光を照射する。
【００２４】
送水ノズル１０７は、内視鏡１００の基端操作部（図示せず）と連通しており、基端操作部の操作により空気などの気体や水などの液体を噴射する。もっぱら気体を噴射して用いる場合も、本実施形態では送水ノズル１０７と呼称している。送水ノズル１０７から気体や液体を噴射することにより、内視鏡１００の先端部１１０、観察光学系１０５およびフード本体部３０の内面３９に付着した汚れを取り除くことができる。
【００２５】
処置具出口部１０８は鉗子孔１２０の先端開口である。鉗子孔１２０に挿入された処置具が処置具出口部１０８から突出し、さらにフード１０の先端開口３１よりも前方に突出して切除患部を剥離切離する。鉗子孔１２０の基端側は内視鏡本体の吸引機構（図示せず）と連接されており、処置具を挿入した状態で鉗子孔１２０の内部を負圧吸引することができる。これにより、送水ノズル１０７や噴射孔１０９から噴出された洗浄水や切除患部から滲出した体液を、処置具出口部１０８より吸引して排出することが可能である。
【００２６】
本実施形態の内視鏡１００は鉗子孔１２０を含み、この鉗子孔１２０の先端開口（処置具出口部１０８）は、先端部１１０の正面視において、観察光学系１０５に対向して配置されている。
【００２７】
噴射孔１０９は切除患部に向けて内視鏡１００から前方に向けて水などの液体を噴射する手段である。噴射孔１０９は内視鏡１００の基端側の噴射物供給口（図示せず）まで連通しており、シリンジなどの液体供給手段と接続されている。
【００２８】
図２に示すように、フード本体部３０の正面視において、処置具出口部１０８の中心が傾斜端面３１ａの内部に位置する装着角度でフード１０を内視鏡１００に装着することが好ましい。
【００２９】
排液口５０は傾斜端面３１ａの対向側、本実施形態では傾斜稜線部３８に形成されている。これにより、処置具出口部１０８に傾斜端面３１ａが対応する装着角度でフード１０を内視鏡１００に取り付けた場合に、送水ノズル１０７と観察光学系１０５との延長線上に内側開口５２が自然に配置されることとなる。内視鏡１００においては、観察光学系１０５の視野を確保する観点から処置具出口部１０８と観察光学系１０５とは先端部１１０において反対側に配置されることが一般的なためである。これにより、送水ノズル１０７から観察光学系１０５に向けて噴射された洗浄水が排液口５０から好適に排出される。
【００３０】
本実施形態の規制部は、装着部２０から境界部２５にかけて縮径する段差部２４である。図３および図４に示すように、段差部２４は内側開口５２の内部に位置している。このほか、規制部は、内視鏡１００と係合してフード１０に対する内視鏡１００の挿入深さを規制する手段を広く採ることができる。
【００３１】
スロープ部２６は、基端側の装着部２０から先端側のフード本体部３０にかけてフード１０の外径が拡大するようにして形成されている。フード１０の長軸方向の寸法と径方向の寸法との大小は任意である。
【００３２】
装着部２０の内径は内視鏡１００の先端部１１０の外径よりも僅かに大きい。またフード本体部３０の内径は内視鏡１００の先端部１１０の外径よりも小さい。このため、内視鏡１００を装着部２０に深く挿入していくと、図２に示すように先端部１１０が段差部２４に突き当たる。内視鏡１００の内部には鉗子孔１２０が長軸方向に沿って通孔形成されている。内視鏡１００の先端部１１０において、鉗子孔１２０は段差部２４に干渉せず、鉗子孔１２０の全体がフード本体部３０の内部空間Ｖに露出している。鉗子孔１２０には、高周波メスや注射針などの処置具（図示せず）が進退自在に挿入される。
【００３３】
内視鏡１００の先端部１１０の周面１１２の表面には親水性処理が施されている。具体的な親水性処理は特に限定されないが、一例として、ポリビニルアルコール（ＰＶＡ）などの親水性材料からなるトップコート層を被膜形成することが挙げられる。
【００３４】
フード本体部３０の外周面３２は、装着部２０の軸心ＡＸ１と平行な直線稜線部３６と、この直線稜線部３６の対向位置にあって軸心ＡＸ１に対して傾斜した傾斜稜線部３８と、を含む。排液口５０は、境界部２５のうち傾斜稜線部３８の側に形成されている。直線稜線部３６と傾斜稜線部３８とが対向位置にあるとは、両者がフード本体部３０の径方向の反対側に位置していることをいう。
【００３５】
フード本体部３０の先端開口３１の一部または全部は、直線稜線部３６に向かって切れ込むようにして装着部２０の軸心ＡＸ１に対して直交ではなく斜めに形成されている。本実施形態のフード１０では、先端開口３１のうち直線稜線部３６が形成されている側（以下、「下方側」という場合がある）の略半分のみが軸心ＡＸ１に対して斜めに形成されている。先端開口３１のうち、かかる下方側の略半分を傾斜端面３１ａと呼称する。一方、先端開口３１のうち傾斜稜線部３８が形成されている側（以下、「上方側」という場合がある）の略半分にあたる垂直端面３１ｂは、軸心ＡＸ１に対して直交して形成されている（図４を参照）。フード本体部３０の外周面３２は、傾斜稜線部３８および直線稜線部３６とも、境界部２５から先端開口３１に向かって徐々に肉厚が減少するように構成されている。
【００３６】
フード本体部３０および装着部２０は軟質樹脂材料で構成されている。本実施形態ではフード本体部３０および装着部２０は一材一体成形されている。軟質樹脂材料としては、ポリ塩化ビニルを例示することができる。
【００３７】
フード本体部３０の少なくとも内面３９には親水性処理を施すことが好ましい。これにより、フード本体部３０の内部に進入した水や体液等が先端開口３１および排液口５０から容易に排出されて内視鏡１００の視野を効果的に確保することができる。本実施形態のフード１０では、排液口５０を画定する周面にあたる基端縁５３および先端縁５４にも親水性処理が施されている。これにより、排液口５０を通じて水や体液が容易に排出される。
【００３８】
親水性処理は特に限定されないが、例えば、スパッタリングまたは蒸着等の気相法による製膜、ディッピングコーティング、スピンコーティング等の液相法による製膜、親水膜の基となる薬剤を布、脱脂綿等により塗布する製膜、表面の水酸基化を行うプラズマ処理等の方法等を用いることができる。
【００３９】
以下、排液口５０について詳細に説明する。排液口５０は実質的にその全体がフード１０の境界部２５に形成されている。本実施形態の排液口５０は、境界部２５に穿設された直管状の貫通孔である。排液口５０の深さ方向や開口形状により種々の変形例を採ることができる。第二から第四実施形態にて後述する。本実施形態のフード付き内視鏡２００においては、内視鏡１００の先端部１１０の周面１１２が、排液口５０の内側開口５２を部分的に塞ぐ。これにより、内側開口５２には親水性の内視鏡１００の周面１１２が露出して配置されるとともに、内側開口５２の開口面積は抑制されているため、毛管現象が発生しやすい状態になっている。このため、先端開口３１から内部空間Ｖに流入した体液や、送水ノズル１０７から観察光学系１０５に向けて噴射された洗浄液（以下、あわせて「液体」という）は、内視鏡１００の周面１１２を伝って内側開口５２に導入される。
【００４０】
本実施形態のフード１０およびフード付き内視鏡２００においては、内視鏡１００の周面１１２から露出する内側開口５２を通じて外側開口５１からフード本体部３０の内部（内部空間Ｖ）が臨むことを特徴とする。図４に両側矢印で示すように、外側開口５１から内部空間Ｖが臨むとは、フード本体部３０の外部と内部空間Ｖとが外側開口５１および内側開口５２を通じて直線的に連通していることをいう。
【００４１】
これにより、内部空間Ｖの内部の液体は、鉗子孔１２０等を通じて内部空間Ｖに吹き込まれた加圧気体によって排液口５０から外部に容易に吹き出される。また、鉗子孔１２０に加圧気体を吹き込まずとも、重力Ｇの作用を用いて排液口５０から外部に液体を流出させることができる。
【００４２】
本実施形態では、内視鏡１００の周面１１２から露出する内側開口５２の面積は外側開口５１の面積よりも小さい。これにより、内部空間Ｖの内部から内側開口５２に導入された液体がフード本体部３０の外部に容易に吹き出され、また流出する。特に、内側開口５２の過半の面積が内視鏡１００の周面１１２に塞がれていることが好ましい。これにより、内部空間Ｖから内側開口５２に液体が良好に導入される。
【００４３】
図４に示すように、排液口５０の基端縁５３は、内視鏡用フード１０の先端側内部から基端側外部に向かって延在している。これにより、先端開口３１が重力上方を向いて先端開口３１から液体を排出できない場合でも、排液口５０を通じて液体をフード本体部３０の外部に排出することができる。
【００４４】
また、排液口５０の先端縁５４もまた、内視鏡用フード１０の先端側内部から基端側外部に向かって延在している。これにより、送水ノズル１０７から観察光学系１０５に向けて噴射された洗浄液は、先端縁５４に当たって基端側に曲げられるため外側開口５１から直ちに排出される。
【００４５】
図１に示すように、本実施形態の排液口５０は、互いに連通していない独立した複数個（図示は二個）の円孔からなる。外側開口５１および内側開口５２の形状は特に限定されず、円形、長円形、楕円形、角丸スリット状などの略長円形としてもよい。
【００４６】
（第二実施形態）
図５は本実施形態のフード付き内視鏡２００の縦断面図である。本実施形態は、排液口５０の基端縁５３が内視鏡用フード１０の先端側内部から基端側外部に向かって延在している。そして、排液口５０の先端縁５４が基端側内部から先端側外部に向かって延在して排液口５０が外向きのＶ字状をなしている点で第一実施形態と相違する
【００４７】
かかる排液口５０によれば、先端開口３１が重力上方を向いていても、または重力下方を向いていても、内部空間Ｖの内部の液体を重力Ｇの作用によって排液口５０から外部に流出させることができる。勿論、外側開口５１を重力下方に向けた場合も同様である。このため、先端開口３１に粘膜組織ＴＳを吸着して先端開口３１が封止されている状態でも、多くの状態で内部空間Ｖから液体を重力によって排出することができる。
【００４８】
（第三実施形態）
図６は本発明の第三実施形態のフード付き内視鏡２００を示す平面図である。図７は図６のVII−VII線縦断面図である。
【００４９】
本実施形態は、排液口５０が境界部２５に形成されて内視鏡用フード１０の径方向に延在する側孔である点で第一実施形態と相違する。図７に示すように、段差部２４は内側開口５２の内側にあり、内側開口５２の一部、かつ過半の面積が内視鏡１００の周面１１２により閉止されている。このように、排液口５０の深さ方向は、フード１０の外周面３２（図６を参照）の厚み方向と一致していてもよい。
【００５０】
また、図６に示すように、本実施形態の排液口５０の外側開口５１は矩形状をなしている。内側開口５２も矩形状をなしている。このように、排液口５０が角部を有することにより、液体に作用する毛管現象が顕著となり、内部空間Ｖから排液口５０への液体の導入が良好である。
【００５１】
（第四実施形態）
図８は本発明の第四実施形態のフード付き内視鏡２００の縦断面図である。本実施形態は、排液口５０の基端縁５３および先端縁５４が共に内視鏡用フード１０の基端側内部から先端側外部に向かって延在している点で第一実施形態と相違する。
【００５２】
本実施形態の場合、送水ノズル１０７から観察光学系１０５に向けて噴射した洗浄液が、その直線状に位置する基端縁５３に当たって先端側に向きを変えられ、先端縁５４に沿って排液口５０から排出される。
【００５３】
このように、排液口５０の深さ方向および開口形状により、フード付き内視鏡２００の種々の状況に応じて好適に液体を内部空間Ｖからフード本体部３０の外部に排出することができ有用である。
【００５４】
本発明は上述の実施形態に限定されるものではなく、本発明の目的が達成される限りにおける種々の変形、改良等の態様も含む。たとえば、上述の実施形態では排液口３４を一つのみ有するフード１０を例示したが、これに限られない。本実施形態に代えて、フード１０に複数個の排液口３４を形成してもよい。複数個の排液口３４を形成する場合、それぞれの排液口３４の大きさや形状は、互いに共通でもよく、または互いに相違してもよい。複数個の排液口３４は、互いに周方向に配置し、内視鏡１００の先端部１１０によって共に部分的に塞がれるように構成してもよい。この場合、複数個の排液口３４を、周方向に隣接して配置してもよく、またはフード本体部３０の周囲の対向位置に配置してもよい。
【００５５】
上記実施形態は、以下の技術思想を包含するものである。
（１）内視鏡の先端部が挿入される基端側の装着部と、前記装着部の先端側に延出したフード本体部と、前記内視鏡の挿入深さを規制する規制部と、を有し両端が開口した筒状の内視鏡用フードであって、前記装着部と前記フード本体部との境界部に内側開口が形成され前記内視鏡用フードの外周面に外側開口が形成された排液口を有し、前記規制部に挿入深さを規制された前記内視鏡の前記先端部の周面が前記内側開口を部分的に塞ぐように前記排液口が形成されていることを特徴とする内視鏡用フード。
（２）前記内視鏡の前記周面から露出する前記内側開口を通じて前記外側開口から前記フード本体部の内部が臨むことを特徴とする上記（１）に記載の内視鏡用フード。
（３）前記内視鏡の前記周面から露出する前記内側開口の面積が前記外側開口の面積よりも小さい上記（２）に記載の内視鏡用フード。
（４）前記内側開口の過半の面積が前記内視鏡の前記周面に塞がれている上記（１）から（３）のいずれかに記載の内視鏡用フード。
（５）前記規制部は前記装着部から前記境界部にかけて縮径する段差部であり、前記段差部が前記内側開口の内部に位置している上記（１）から（４）のいずれかに記載の内視鏡用フード。
（６）前記排液口の基端縁が、前記内視鏡用フードの先端側内部から基端側外部に向かって延在している上記（１）から（５）のいずれかに記載の内視鏡用フード。
（７）前記排液口の先端縁が基端側内部から先端側外部に向かって延在して前記排液口が外向きのＶ字状をなしている上記（６）に記載の内視鏡用フード。
（８）前記排液口が前記境界部に形成されて前記内視鏡用フードの径方向に延在する側孔である上記（１）から（４）のいずれかに記載の内視鏡用フード。
（９）前記排液口の基端縁が、前記内視鏡用フードの基端側内部から先端側外部に向かって延在している上記（１）から（５）のいずれかに記載の内視鏡用フード。
（１０）前記フード本体部が、前記装着部の軸心と平行な直線稜線部と、前記直線稜線部の対向位置にあって前記軸心に対して傾斜した傾斜稜線部と、を含み、前記排液口が前記境界部のうち前記傾斜稜線部の側に形成されている上記（１）から（９）のいずれかに記載の内視鏡用フード。
（１１）前記フード本体部の先端開口の一部または全部が、前記直線稜線部に向かって切れ込むようにして軸心に対して斜めに形成されている上記（１０）に記載の内視鏡用フード。
（１２）前記フード本体部および前記装着部が軟質樹脂材料で構成されている上記（１）から（１１）のいずれかに記載の内視鏡用フード。
（１３）上記（１）から（１２）のいずれかに記載の内視鏡用フードと、観察光学系および送水ノズルが前記先端部に設けられた前記内視鏡と、を含み、前記先端部の前記周面には親水性処理が施されており、前記内視鏡用フードの前記装着部が、前記送水ノズルと前記観察光学系との延長線上に前記内側開口が位置する装着角度で前記内視鏡の前記先端部に装着されていることを特徴とするフード付き内視鏡。
【００５６】
なお、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【符号の説明】
【００５７】
１０：内視鏡用フード（フード）、２０：装着部、２４：段差部、２５：境界部、２６：スロープ部、３０：フード本体部、３１：先端開口、３１ａ：傾斜端面、３１ｂ：垂直端面、３２：外周面、３６：直線稜線部、３８：傾斜稜線部、３９：内面、５０：排液口、５１：外側開口、５２：内側開口、５３：基端縁、５４：先端縁、１００：内視鏡、１０５：観察光学系、１０６：照明光学系、１０７：送水ノズル、１０８：処置具出口部、１０９：噴射孔、１１０：先端部、１１２：周面、１２０：鉗子孔、２００：フード付き内視鏡、ＡＸ１，ＡＸ２：軸心、Ｇ：重力、ＴＳ：粘膜組織、Ｖ：内部空間
【図１】
2014124226.tif 000003
【図２】
2014124226.tif 000004
【図３】
2014124226.tif 000005
【図４】
2014124226.tif 000006
【図５】
2014124226.tif 000007
【図６】
2014124226.tif 000008
【図７】
2014124226.tif 000009
【図８】
2014124226.tif 000010